【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
ビデオ列を遠隔的に再生する方法であって、
ビデオコーデックを放送上でマルチメディア携帯端末にダウンロードして、前記ビデオコーデックを前記マルチメディア携帯端末にインストールするステップと、
前記ビデオコーデックを用いて、前記マルチメディア携帯端末によってキャプチャしたビデオ列を圧縮するステップと、
前記圧縮したビデオ列をマルチメディアメッセージングサービスサーバに送信するステップと、
前記圧縮したビデオ列がダウンロードに利用可能である旨を示す通知を遠隔のビデオ再生装置に送信するステップと、
前記圧縮したビデオ列を、当該ビデオ列を自己再生するためのビデオコーデックとともにダウンロードするステップと、
該ダウンロードしたビデオコーデックを用いて前記圧縮したビデオ列を復号するステップと、
前記遠隔のビデオ再生装置に既設されたビデオ再生デバイスを用いて前記復号したビデオ列を再生するステップと、
を含むビデオ列の遠隔再生方法。
【請求項２】
モバイルマルチメディアサービスプラットフォームを用いて、モバイルデバイスからビデオデータをワイヤレスネットワーク上で送信する方法であって、
ソース符号化とチャネル符号化を少なくとも含むビデオ符号化のアプリケーションを前記モバイルデバイスにてダウンロードするステップと、
前記ビデオ符号化のアプリケーションを用いて、ビデオデータを前記ワイヤレスネットワーク上で送信するステップとを含み、
該ステップは、
前記ワイヤレスネットワーク上の送信帯域幅及び送信エラーレートのうちの少なくとも１つの変更を決定するステップと、
前記決定した変更に応じて、前記ソース符号化及び前記チャネル符号化のうちの少なくとも１つの処理を前記決定した変更の少なくとも１つに応じて変更するステップと、
を含むビデオデータの送信方法。
【請求項３】
前記送信帯域幅及び送信エラーレートのうちの少なくとも１つの変更は、瞬間パラメータであるパラメータ群によって表されている、請求項２に記載のビデオデータの送信方法。
【請求項４】
前記送信帯域幅及び送信エラーレートのうちの少なくとも１つの変更は、予測パラメータであるパラメータ群によって表されている、請求項２に記載のビデオデータの送信方法。
【請求項５】
前記送信帯域幅及び送信エラーレートのうちの少なくとも１つの変更は、平均パラメータであるパラメータ群によって表されている、請求項２に記載のビデオデータの送信方法。
【請求項６】
前記変更するステップは、スケーラブルとウェーブレットを利用するソース符号化を行うステップをさらに含む、請求項２に記載のビデオデータの送信方法。
【請求項７】
前記送信帯域幅及び送信エラーレートのうちの少なくとも１つの変更は、セルラ電話機の信号タワーから受信されるものである、請求項２に記載のビデオデータの送信方法。
【請求項８】
前記ビデオ符号化のアプリケーションは、ウェーブレットに基づくモバイルイメージングのアプリケーションである、請求項２に記載のビデオデータの送信方法。
【請求項９】
前記ソース符号化は、前記ソースビデオの３−Ｄウェーブレット変換を行う、請求項２に記載のビデオデータの送信方法。
【請求項１０】
前記送信帯域幅の増大に応じて、及び／又は、前記送信エラーレートの増大に応じて、第１レートでＧＯＰのルミナンス部分が処理され、前記第１レートとは異なる第２レートで前記ＧＯＰのクロミナンス部分が処理される、請求項２に記載のビデオデータの送信方法。
【請求項１１】
前記送信帯域幅の増大に応じて、及び／又は、前記送信エラーレートの増大に応じて、ＧＯＰに関連付けられた単一フレームのみのルミナンス部分が処理される、請求項２に記載のビデオデータの送信方法。
【請求項１２】
前記ビデオ符号化のアプリケーションは、レート制御、ソース符号化及びチャネル符号化を含み、前記変更するステップは、前記ソース符号化、前記チャネル符号化及び前記レート制御のうちの少なくとも１つの処理を前記決定した変更の少なくとも１つに応じて変更するステップを含む、請求項２に記載のビデオデータの送信方法。
【請求項１３】
ビデオ送信を可能にする方法であって、
ソース符号化とチャネル符号化を少なくとも含むビデオ符号化の全てのソフトウェアアプリケーションを、ワイヤレスネットワークに接続されるモバイルデバイスにてダウンロードするステップと、
前記ワイヤレスネットワーク上の利用可能な帯域幅及びエラーレートのうちの少なくとも１つの変更に基づいて前記ビデオ符号化の全てのソフトウェアアプリケーションを送信するときに、ソース符号化及び／又はチャネル符号化用の処理を変更するよう前記ビデオ符号化の全てのソフトウェアアプリケーションを構成するステップと、
を含む、ビデオ送信の可能化方法。
【請求項１４】
前記ビデオ符号化の全てのソフトウェアアプリケーションは、ウェーブレットに基づくモバイルイメージングのアプリケーションである、請求項１３に記載のビデオ送信の可能化方法。
【請求項１５】
前記ビデオ符号化の全てのソフトウェアアプリケーションを、当該ビデオ符号化のアプリケーションに特化して構成されるハードウェアが欠けているモバイルデバイスにてダウンロードするようにした、請求項１３に記載のビデオ送信の可能化方法。
【請求項１６】
前記ビデオ符号化の全てのソフトウェアアプリケーションは、レート制御、ソース符号化及びチャネル符号化を含み、
前記ワイヤレスネットワーク上の利用可能な帯域幅及びエラーレートのうちの少なくとも１つの変更に基づいて前記ビデオ符号化の全てのソフトウェアアプリケーションを送信するときに、ソース符号化、レート制御及び／又はチャネル符号化用の処理を変更するよう前記ビデオ符号化の全てのソフトウェアアプリケーションを構成するステップと、
を含む、請求項１３に記載のビデオ送信の可能化方法。
【請求項１７】
ビデオ受信を可能にする方法であって、
モバイルデバイスをワイヤレスネットワークに接続するステップと、
ビデオ復号化の全てのソフトウェアアプリケーションと、符号化されたビデオデータを、前記モバイルデバイスにてダウンロードするステップと、
前記ビデオ復号化の全てのソフトウェアアプリケーションを用いて、前記符号化されたビデオデータを復号するステップと、
前記復号したビデオデータを前記モバイルデバイスにて視覚的に表示するステップと、
を含む、ビデオ受信の可能化方法。
【請求項１８】
前記ビデオ復号化の全てのソフトウェアアプリケーションを、当該ビデオ復号化のアプリケーションに特化して構成されるハードウェアが欠けているモバイルデバイスにてダウンロードするようにした、請求項１３に記載のビデオ送信の可能化方法。
【請求項１９】
前記ビデオ復号化の全てのソフトウェアアプリケーションは、ソース符号化及びチャネル符号化を含む、請求項１７に記載のビデオ送信の可能化方法。
【請求項２０】
ネットワークビデオサービスを提供する方法であって、
ビデオコーデックを放送上で複数のマルチメディア携帯端末にダウンロードして、前記ビデオコーデックをそれぞれのマルチメディア携帯端末にインストールするステップと、
前記ビデオコーデックを用いて、前記複数のマルチメディア携帯端末のうちの第１マルチメディア携帯端末によってキャプチャした第１ビデオ列を圧縮するステップと、
前記ビデオコーデックを用いて、前記複数のマルチメディア携帯端末のうちの第２マルチメディア携帯端末によってキャプチャした第２ビデオ列を圧縮するステップと、
前記圧縮した第１ビデオ列及び第２ビデオ列を、ビデオゲートウェイサーバに送信するステップと、
前記ビデオゲートウェイサーバにて、前記圧縮した第１ビデオ列及び第２ビデオ列を編集するステップと、
当該圧縮して編集された第１ビデオ列がダウンロードに利用可能である旨を示す通知を第１の遠隔のビデオ再生装置に送信するステップと、
前記圧縮して編集された第１ビデオ列を、当該第１ビデオ列を自己再生するためのビデオコーデックとともにダウンロードするステップと、
該ダウンロードしたビデオコーデックを用いて前記圧縮して編集された第１ビデオ列を復号するステップと、
前記第１の遠隔のビデオ再生装置に既設されたビデオ再生デバイスを用いて前記復号した第１ビデオ列を再生するステップと、
を含むビデオ列の遠隔再生方法。
【請求項２１】
ネットワークビデオサービスを提供する方法であって、
ビデオコーデックを複数のマルチメディア携帯端末に提供するステップと、
前記ビデオコーデックを用いて、前記複数のマルチメディア携帯端末のうちの第１マルチメディア携帯端末によってキャプチャした第１ビデオ列を圧縮するステップと、
前記ビデオコーデックを用いて、前記複数のマルチメディア携帯端末のうちの第２マルチメディア携帯端末によってキャプチャした第２ビデオ列を圧縮するステップと、
前記圧縮した第１ビデオ列及び第２ビデオ列を、ビデオゲートウェイサーバに送信するステップと、
前記ビデオゲートウェイサーバにて、前記圧縮した第１ビデオ列及び第２ビデオ列を編集するステップと、
当該圧縮して編集された第１ビデオ列がダウンロードに利用可能である旨を示す通知を第１の遠隔のビデオ再生装置に送信するステップと、
前記圧縮して編集された第１ビデオ列について、前記第１の遠隔のビデオ再生装置に対する送信を容易とするようコード変換を行うステップと、
当該圧縮して編集された第１ビデオ列を前記第１の遠隔のビデオ再生装置に送信するステップと、
前記第１の遠隔のビデオ再生装置にて前記圧縮して編集された第１ビデオ列を復号するステップと、
前記遠隔のビデオ再生装置に既設されたビデオ再生デバイスを用いて前記復号した第１ビデオ列を再生するステップと、
を含むビデオ列の遠隔再生方法。
【請求項２２】
ビデオを提供する方法であって、
モバイルデバイスから、ビデオを受信するステップと、
前記モバイルデバイスから、前記ビデオの編集方法を示す命令を受信するステップと、
該命令に従って前記ビデオを編集するステップと、
編集されている当該ビデオの一部分のプレビューを、当該ビデオの１つ以上の他の部分を受信しながら送信するステップと、
を含むビデオの提供方法。
【請求項２３】
ビデオを提供する方法であって、
少なくとも１つのビデオイメージを、モバイルデバイスでキャプチャするステップと、
１つ以上のビデオ編集用テンプレートを選択するステップと、
前記少なくとも１つのビデオイメージを、ビデオ編集サービスにアップロードするステップと、
前記選択した１つ以上のビデオ編集用テンプレートに従って前記少なくとも１つのビデオイメージを編集し、ビデオファイルを生成するステップと、
を含むビデオの提供方法。
【請求項２４】
前記ビデオ編集サービスは、前記モバイルデバイスに設置されている、請求項２３に記載のビデオの提供方法。
【請求項２５】
前記ビデオ編集サービスは、前記モバイルデバイスに非設置とされている、請求項２３に記載のビデオの提供方法。
【請求項２６】
前記ビデオファイルの一部分を、前記少なくとも１つのビデオイメージの残り部分がまだ前記ビデオ編集サービスにアップロードしている間に前記モバイルデバイスに送信するステップをさらに含む、請求項２５に記載のビデオの提供方法。